(57)【要約】【課題】  ＩＣタグを衣類に簡単に取り付け、取り外すことができ、リサイクルが可能で、クリーニングにおける衣類管理のコストを節減でき、環境にも優しいＩＣタグ取付け具を提供する。【解決手段】  クリーニングにおける衣類管理に使用されるＩＣタグを、ボタンを有する衣類に取り付けるためのＩＣタグ取付け具１であって、耐熱性、耐摩耗性、柔軟性に優れたシート状の基材２の内部にＩＣタグ３を埋め込み、該基材２に、ＩＣタグ３と並ぶようにしてボタンホール４を形成する。【選択図】      図１
2006318320.tif 000002
【特許請求の範囲】
【請求項１】
クリーニングにおける衣類管理に使用されるＩＣタグを、ボタンを有する衣類に取り付けるためのＩＣタグ取付け具であって、
耐熱性、耐摩耗性、柔軟性に優れたシート状の基材の内部にＩＣタグを埋め込み、
前記基材に、前記ＩＣタグと並ぶようにしてボタンホールを形成した
ことを特徴とするＩＣタグ取付け具。
【請求項２】
クリーニングにおける衣類管理に使用されるＩＣタグを、主としてボタンを有しない衣類に取り付けるためのＩＣタグ取付け具であって、
耐熱性、耐摩耗性、柔軟性に優れたシート状の基材の内部にＩＣタグを埋め込み、
前記基材に、前記ＩＣタグを挟むようにして一方側にボタンホールを形成し、他方側にボタンを固着した
ことを特徴とするＩＣタグ取付け具。
【請求項３】
クリーニングにおける衣類管理に使用されるＩＣタグを、ファスナーを有する衣類に取り付けるためのＩＣタグ取付け具であって、
耐熱性、耐摩耗性、柔軟性に優れたシート状の基材の内部にＩＣタグを埋め込み、
前記基材の一側に、ファスナー片側片を固着した
ことを特徴とするＩＣタグ取付け具。
【請求項４】
クリーニングにおける衣類管理に使用されるＩＣタグを、面ファスナーを有する衣類に取り付けるためのＩＣタグ取付け具であって、
耐熱性、耐摩耗性、柔軟性に優れたシート状の基材の内部にＩＣタグを埋め込み、
前記基材の一面側に、面ファスナー片側片を固着した
ことを特徴とするＩＣタグ取付け具。
【請求項５】
クリーニングにおける衣類管理に使用されるＩＣタグを、ホックを有する衣類に取り付けるためのＩＣタグ取付け具であって、
耐熱性、耐摩耗性、柔軟性に優れたシート状の基材の内部にＩＣタグを埋め込み、
前記基材の面上に、ホック片側ピースを固着した
ことを特徴とするＩＣタグ取付け具。
【発明の詳細な説明】
【技術分野】
【０００１】
本願の発明は、クリーニングにおける衣類管理に使用されるＩＣタグを衣類に取り付けるためのＩＣタグ取付け具に関し、ＩＣタグを衣類に簡易に取り付け、取り外しすることができ、運搬、クリーニングに際しても、離脱したり、ＩＣタグが損傷したりすることがなく、ＩＣタグのリサイクルが可能なＩＣタグ取付け具に関する。
【背景技術】
【０００２】
近年、クリーニングにおける衣類管理にＩＣタグが使用されている。このＩＣタグには、記憶装置とアンテナとが埋め込まれていて、別途用意された書込み・読出し手段を用いて、顧客ＩＤや各種の洗濯指示情報を該記憶装置に書き込んだり、該記憶装置から読み出したりすることができる。クリーニング業者は、この書込み・読出し手段を用いて、ＩＣタグに記憶されている洗濯指示情報を読み出し、その衣類に適した方法によるクリーニングや染み抜きなど、顧客の要望に沿ったクリーニング作業を実行する。また、書込み・読出し手段を用いて、ＩＣタグに記憶された顧客ＩＤを読み出し、クリーニングが完了した当該衣類を顧客に間違いなく返却することができる。さらに、次の使用に際しては、以前の不要なデータを消して、新たな顧客ＩＤや顧客が希望する新たな洗濯指示情報等を当該記憶装置に書き込む。
【０００３】
このようなＩＣタグは、通常、衣類の内ポケットのボタンなど目立たないところに埋め込んだり、耐熱性、耐水性、耐摩耗性、柔軟性に優れた素材により封止して、小型で薄型・小径のコイン状や小型で薄型のシート状に形成し、衣類の目立たない裾の裏側や衣類に付属のエンブレム、襟ラベル等に縫い付けたり、接着剤により接着したり、熱圧着したりして、衣類に取り付けられている。特開２００４−３２９８２２号公報には、このようなＩＣタグをボタン裏留め部品に埋め込んで、このボタン裏留め部品を生地裏面側に配された補強用ボタンに引っ掛けて固定して、ＩＣタグを衣類に取り付ける手段が開示されている。
【０００４】
このようにして衣類に取り付けられたＩＣタグは、衣類に固定して使用されるので、当該衣類が顧客に返却されて廃棄された場合には、再度使用されることなく、衣類とともに廃棄されることになる。また、クリーニングの対象となる衣類の数だけ必要となり、その数は膨大に昇る。しかしながら、ＩＣタグは、高価であるから、その必要個数を最小限にして、できるだけ再利用を図るのがコスト面から、また、環境面からも望ましい。
【０００５】
同公報には、また、ボタン裏留め部品をくるみ状ボタンの糸通し部分に引っ掛けて固定したりして、ボタン裏留め部品を取り外し可能にしたＩＣタグ取付け手段も開示されているが、この場合のくるみ状ボタンは、ボタン裏留め部品が取り外された場合には、衣類から取り外されるものであり、衣類に固有のボタンとして使用することができない。衣類に固有のボタンとして使用しようとすると、今度は、ボタン裏留め部品を取り外すことができなくなるものである。
【特許文献１】特開２００４−３２９８２２号公報
【特許文献２】特開２００２−０１１３００号公報
【特許文献３】特開２００３−１５９５００号公報
【発明の開示】
【発明が解決しようとする課題】
【０００６】
本願の発明は、従来のＩＣタグ取付け具が有する前記のような問題点を解決して、衣類がボタンを有する場合、有しない場合のそれぞれの場合に応じて、ＩＣタグを衣類に簡単に取り付け、取り外すことができ、リサイクルが可能で、クリーニングにおける衣類管理のコストを節減でき、環境にも優しいＩＣタグ取付け具を提供することを課題とする。
【課題を解決するための手段】
【０００７】
前記のような課題は、本願の各請求項に記載された次のような発明により解決される。
すなわち、その請求項１に記載された発明は、クリーニングにおける衣類管理に使用されるＩＣタグを、ボタンを有する衣類に取り付けるためのＩＣタグ取付け具であって、耐熱性、耐摩耗性、柔軟性に優れたシート状の基材の内部にＩＣタグを埋め込み、前記基材に、前記ＩＣタグと並ぶようにしてボタンホールを形成したことを特徴とするＩＣタグ取付け具である。
【０００８】
請求項１に記載された発明は、前記のように構成されているので、基材に形成されたボタンホールを衣類のボタンに引っ掛けることにより、その内部にＩＣタグが埋め込まれた基材を衣類に簡単に取り付けることができ、また、簡単に取り外すことができる。また、この基材は、耐熱性、耐摩耗性、柔軟性に優れているので、多数回のクリーニングに耐え、クリーニングや運搬時に衣類やＩＣタグを損傷することもない。これらにより、この基材を備えたＩＣタグ取付け具は、ＩＣタグを衣類に簡単に取り付け、取り外すことができ、ＩＣタグのリサイクルが可能で、クリーニングにおける衣類管理のコストを節減でき、また、環境を損なうこともない。
【０００９】
また、その請求項２に記載された発明は、クリーニングにおける衣類管理に使用されるＩＣタグを、主としてボタンを有しない衣類に取り付けるためのＩＣタグ取付け具であって、耐熱性、耐摩耗性、柔軟性に優れたシート状の基材の内部にＩＣタグを埋め込み、前記基材に、前記ＩＣタグを挟むようにして一方側にボタンホールを形成し、他方側にボタンを固着したことを特徴とするＩＣタグ取付け具である。
【００１０】
請求項２に記載された発明は、前記のように構成されているので、ボタンを全く有しない衣類であっても、例えば、衣類をハンガーに吊るすため、あるいはベルトを保持するため、などのために衣類に縫着されている帯片等に基材を通して、基材に形成されたボタンホールを基材に固着されたボタンに引っ掛けることにより、基材を衣類に簡単に取り付けることができ、また、簡単に取り外すことができる。これにより、ボタンを全く持たない衣類に対しても、請求項１に記載の発明が奏する効果と同様の効果を奏することが可能になる。
【００１１】
また、その請求項３に記載された発明は、クリーニングにおける衣類管理に使用されるＩＣタグを、ファスナーを有する衣類に取り付けるためのＩＣタグ取付け具であって、耐熱性、耐摩耗性、柔軟性に優れたシート状の基材の内部にＩＣタグを埋め込み、前記基材の一側に、ファスナー片側片を固着したことを特徴とするＩＣタグ取付け具である。
【００１２】
請求項３に記載された発明は、前記のように構成されているので、基材の一側に固着されたファスナー片側片を衣類側のファスナー片側片に噛み合わせて、両ファスナー片側片同士を固着させることにより、基材を衣類に簡単に取り付けることができ、また、簡単に取り外すことができる。これにより、ファスナーを有する衣類に対しても、請求項１に記載の発明が奏する効果と同様の効果を奏することが可能になる。
【００１３】
さらに、その請求項４に記載された発明は、クリーニングにおける衣類管理に使用されるＩＣタグを、面ファスナーを有する衣類に取り付けるためのＩＣタグ取付け具であって、耐熱性、耐摩耗性、柔軟性に優れたシート状の基材の内部にＩＣタグを埋め込み、前記基材の一面側に、面ファスナー片側片を固着したことを特徴とするＩＣタグ取付け具である。
【００１４】
請求項４に記載された発明は、前記のように構成されているので、基材の一面側に固着された面ファスナー片側片を衣類側の面ファスナー片側片に重ね、両面ファスナー片側片同士を固く接触させて固着させることにより、基材を衣類に簡単に取り付けることができ、また、簡単に取り外すことができる。これにより、面ファスナーを有する衣類に対しても、請求項１に記載の発明が奏する効果と同様の効果を奏することが可能になる。
【００１５】
また、その請求項５に記載された発明は、クリーニングにおける衣類管理に使用されるＩＣタグを、ホックを有する衣類に取り付けるためのＩＣタグ取付け具であって、耐熱性、耐摩耗性、柔軟性に優れたシート状の基材の内部にＩＣタグを埋め込み、前記基材の面上に、ホック片側ピースを固着したことを特徴とするＩＣタグ取付け具である。
【００１６】
請求項５に記載された発明は、前記のように構成されているので、基材の面上に固着されたホック片側ピースを衣類側のホック他側ピースに合わせて嵌合させて固着させることにより、基材を衣類に簡単に取り付けることができ、また、簡単に取り外すことができる。これにより、ホックを有する衣類に対しても、請求項１に記載の発明が奏する効果と同様の効果を奏することが可能になる。
【発明の効果】
【００１７】
前記のとおり、本願の発明のＩＣタグ取付け具によれば、衣類がボタンを有する場合、ボタンを有しない場合、ファスナーを有する場合、面ファスナーを有する場合、ホックを有する場合のそれぞれの場合に応じて、ＩＣタグを衣類に簡単に取り付け、取り外すことができ、ＩＣタグのリサイクルが可能で、クリーニングにおける衣類管理のコストを節減でき、また、環境にも優しいＩＣタグ取付け具を提供することができる。
【発明を実施するための最良の形態】
【００１８】
クリーニングにおける衣類管理に使用されるＩＣタグを、ボタンを有する衣類に取り付けるためのＩＣタグ取付け具を、耐熱性、耐摩耗性、柔軟性に優れたシート状の基材と、ＩＣタグとにより構成する。基材の内部にはＩＣタグを埋め込み、該基材に、該ＩＣタグと並ぶようにして表裏貫通のボタンホールを形成する。
【００１９】
また、クリーニングにおける衣類管理に使用されるＩＣタグを、ボタンを有しない衣類に取り付けるためのＩＣタグ取付け具を、耐熱性、耐摩耗性、柔軟性に優れたシート状の基材と、ＩＣタグと、ボタンとにより構成する。基材の内部にはＩＣタグを埋め込み、該基材に、該ＩＣタグを挟むようにして一方側にボタンホールを形成し、他方側にボタンを固着する。
【実施例１】
【００２０】
次に、本願の発明の一実施例（実施例１）について説明する。
図１は、本実施例１のＩＣタグ取付け具と、該ＩＣタグ取付け具が適用される衣類との概略正面図である。
【００２１】
本実施例１のＩＣタグ取付け具１は、クリーニングにおける衣類管理に使用され、ボタンを有する衣類に取り付けて用いられる。その概略構成は、図１に示されるように、細長い耐熱性、耐摩耗性、柔軟性に優れたシート状の基材２の一半部分の内部に、ＩＣタグ３を埋め込み、基材２の他半部分には、該ＩＣタグ３と長さ方向に並ぶようにして、ボタンホール４を表裏貫通して形成して成る。
【００２２】
基材２の材料としては、アイロンの熱に耐える程度の耐熱性と、多数回のクリーニングに耐え、半永久的に使える耐摩耗性と、衣類を損傷しない柔軟性に優れていることが必要であり、このような条件を満たすものであれば、布でも良く、また、合成樹脂材であっても良い。
【００２３】
ＩＣタグ３は、詳細には示されないが、内部に集積回路から成る記憶装置とアンテナとが埋め込まれていて、これらが耐熱性、耐水性、耐摩耗性、柔軟性に優れた素材により封止されることにより構成されている。このＩＣタグ３に対しては、別途用意された書込み・読出し手段を用いて、顧客ＩＤや各種の洗濯指示情報をアンテナを介して該記憶装置に書き込んだり、該記憶装置から読み出したりすることができる。
【００２４】
このようにして構成されるＩＣタグ取付け具１は、図１に示されるように、そのボタンホール４が、ボタンを有する衣類、例えば、オーバー１０のボタン１１に引っ掛けられることにより、衣類１０に係止される。これにより、ＩＣタグ取付け具１の基材２の内部に埋め込まれたＩＣタグ３が、衣類１０に容易には外れないようにして保持されることになる。
【００２５】
以下に、このようにして構成されるＩＣタグ取付け具１の使用方法を説明する。
クリーニング業者は、店舗窓口において衣類１０のクリーニングを依頼されると、この衣類１０のボタン１１にＩＣタグ取付け具１を係止させ、図示されない書込み・読出し手段を用いて、顧客ＩＤと顧客が希望する洗濯指示情報等とをＩＣタグ３の記憶装置に書き込む。衣類１０のクリーニングに際しては、図示されない書込み・読出し手段を用いて、衣類１０に保持されたＩＣタグ３の記憶装置に記憶されている洗濯指示情報を読み出し、その衣類に適した方法によるクリーニングや染み抜きなど、顧客の要望に沿ったクリーニング作業を実行する。
【００２６】
そして、クリーニング作業が完了すると、再び書込み・読出し手段を用いて、ＩＣタグ３の記憶装置に記憶された顧客ＩＤを読み出し、配送に回し、当該衣類１０を顧客に間違いなく返却する。この返却に際しては、ＩＣタグ取付け具１を衣類１０から外して、次の使用に備える。さらに、次の使用に際しては、以前の不要なデータを消して、新たな顧客ＩＤと顧客が希望する新たな洗濯指示情報等とを書込み・読出し手段によりＩＣタグ３の記憶装置に書き込む。
【００２７】
本実施例１のＩＣタグ取付け具１は、前記のように構成されているので、次のような効果を奏することができる。
ＩＣタグ取付け具１の基材２に形成されたボタンホール３を衣類１０のボタン１１に引っ掛けることにより、その内部にＩＣタグ３が埋め込まれた基材１０を衣類１０に簡単に取り付けることができ、また、簡単に取り外すことができる。また、この基材２は、耐熱性、耐摩耗性、柔軟性に優れているので、多数回のクリーニングに耐え、クリーニングや運搬時に衣類１０やＩＣタグ３を損傷することもない。これらにより、この基材２を備えたＩＣタグ取付け具１は、ＩＣタグ３を衣類１０に簡単に取り付け、取り外すことができ、ＩＣタグ３のリサイクルが可能になり、クリーニングにおける衣類管理のコストを節減でき、また、環境を損なうこともない。
【実施例２】
【００２８】
次に、本願の発明の他の実施例（実施例２）について説明する。
図２は、本実施例２のＩＣタグ取付け具と、該ＩＣタグ取付け具が適用される衣類との概略正面図である。
【００２９】
本実施例２のＩＣタグ取付け具１’は、図２に示されるように、基材２’をさらに細長くし、ＩＣタグ３’を挟むようにして一方側にボタンホール４’を形成し、他方側にボタン５’を固着して成る。本実施例２のＩＣタグ取付け具１’は、以上の点において実施例１のＩＣタグ取付け具１と異なるが、その他の点において異なるところはないので、詳細な説明を省略する。
【００３０】
このようにして構成されるＩＣタグ取付け具１’は、ボタンを有しない衣類、例えば、ズボン２０に縫着されたベルトを保持するための帯片２１に通して丸め、そのボタンホール４’をボタン５’に引っ掛けることにより、基材２’をズボン２０に簡単に取り付けることができ、また、簡単に取り外すことができる。これにより、ボタンを全く持たないズボン２０に対しても、本実施例２のＩＣタグ取付け具１’を使用することにより、実施例１のＩＣタグ取付け具１がボタンを有する衣類に対して奏する効果と同様の効果を奏することが可能になる。
【実施例３】
【００３１】
次に、本願の発明のさらに他の実施例について説明する。
衣類着脱用に衣類に付着されている器具としては、実施例１で述べたボタンのほかに、ファスナー、面ファスナー、ホック等が多用されている。これらの器具の構造、機能に応じて、ＩＣタグが埋め込まれたシート状の基材を母体とするＩＣタグ取付け具にも、以下に述べるような独特の構成を備えたものが考えられる。
【００３２】
先ず、ファスナーについては、図３に示されるように、ＩＣタグ３３が埋め込まれたシート状の基材３２の一側にファスナー片側片３４が固着されて成る構造のＩＣタグ取付け具３１が考えられる。このようなＩＣタグ取付け具３１は、衣類着脱用にファスナーが衣類の開閉部に固着された衣類の管理用に使用されることができる。実際の使用法としては、ＩＣタグ取付け具３１のファスナー片側片３４を衣類側のファスナー片側片（不図示）に合わせて、開閉子３５を両ファスナー片側片に沿って走行させれば、両ファスナー片側片を固着させることができ、基材３２を衣類に簡単に取り付けることができ、また、基材３２を衣類から簡単に取り外すことができる。したがって、このＩＣタグ取付け具３１によっても、実施例１のＩＣタグ取付け具１がボタンを有する衣類に対して奏する効果と同様の効果を奏することができる。本実施例を、本願の発明の第３の実施例（実施例３）とする。
【実施例４】
【００３３】
次に、面ファスナーについては、図４に示されるように、ＩＣタグ４３が埋め込まれたシート状の基材４２の一面側に面ファスナー片側片４４が固着されて成る構造のＩＣタグ取付け具４１が考えられる。この面ファスナー片側片４４は、シート上に無数の金属製もしくは樹脂製の接触子が毛羽立った状態で植毛されて成るもので、通常は、両側片の組で１セットとして使用され、市販のものが利用できる。
【００３４】
このようなＩＣタグ取付け具４１は、衣類着脱用に面ファスナーが衣類の開閉部に固着された衣類の管理用に使用されることができる。実際の使用法としては、ＩＣタグ取付け具４１の面ファスナー片側片４４を衣類側の面ファスナー片側片（不図示）に重ね、両面ファスナー片側片同士を固く接触させれば、両面ファスナー片側片同士を固着させることができ、基材４２を衣類に簡単に取り付けることができ、また、基材４２を衣類から簡単に取り外すことができる。したがって、このＩＣタグ取付け具４１によっても、実施例１のＩＣタグ取付け具１がボタンを有する衣類に対して奏する効果と同様の効果を奏することができる。本実施例を、本願の発明の第４の実施例（実施例４）とする。
【実施例５】
【００３５】
次に、ホックについては、図５に示されるように、ＩＣタグ５３が埋め込まれたシート状の基材５２の長さ方向一側にホック片側ピース５４が固着されて成る構造のＩＣタグ取付け具５１が考えられる。ホック片側ピース５４を固着する個所としては、必ずしも長さ方向一側に限られず、ＩＣタグ５３を避けた基材５２の面上の一個所であれば良い。
【００３６】
このようなＩＣタグ取付け具５１は、衣類着脱用にホックが衣類の開閉部に固着された衣類の管理用に使用されることができる。実際の使用法としては、ＩＣタグ取付け具５１のホック片側ピース５４を衣類側のホック他側ピース（不図示）に合わせて嵌合させれば、両ホックピースを固着させることができ、基材５２を衣類に簡単に取り付けることができ、また、基材５２を衣類から簡単に取り外すことができる。したがって、このＩＣタグ取付け具５１によっても、実施例１のＩＣタグ取付け具１がボタンを有する衣類に対して奏する効果と同様の効果を奏することができる。なお、ホック片側ピース５４としては、中央に穴が形成された側のピースであろうと、中央に突起が形成された側のピースであろうと、構わない。本実施例を、本願の発明の第５の実施例（実施例５）とする。
【００３７】
なお、本願の発明は、以上の実施例に限定されず、その要旨を逸脱しない範囲において、種々の変形が可能である。
例えば、実施例１、２において、ＩＣタグ３、ボタンホール４、ＩＣタグ３’、ボタンホール４’、ボタン５’の図示縦方向の配列方向を変え、図示横方向に並べ、それに伴い、基材２、基材２’を図示横方向に細長い形状に変更することが可能である。
【図面の簡単な説明】
【００３８】
【図１】本願の発明の一実施例（実施例１）のＩＣタグ取付け具と、該ＩＣタグ取付け具が適用される衣類との概略正面図である。
【図２】本願の発明の他の実施例（実施例２）のＩＣタグ取付け具と、該ＩＣタグ取付け具が適用される衣類との概略正面図である。
【図３】本願の発明のさらに他の実施例（実施例３）のＩＣタグ取付け具の概略正面図である。
【図４】本願の発明のさらに他の実施例（実施例４）のＩＣタグ取付け具の概略正面図である。
【図５】本願の発明のさらに他の実施例（実施例５）のＩＣタグ取付け具の概略正面図である。
【符号の説明】
【００３９】
１、１’、３１、４１、５１…ＩＣタグ取付け具、２、２’、３２、４２、５２…基材、３、３’、３３、４３、５３…ＩＣタグ、４、４’…ボタンホール、５’…ボタン、１０…衣類（オーバー）、１１…ボタン、２０…衣類（ズボン）、２１…帯片、３４…ファスナー片側片、３５…開閉子、４４…面ファスナー片側片、５４…ホック片側ピース。
【図１】
2006318320.tif 000003
【図２】
2006318320.tif 000004
【図３】
2006318320.tif 000005
【図４】
2006318320.tif 000006
【図５】
2006318320.tif 000007